(57)【要約】  【課題】映像信号の一部のビットデータを二重伝送し、残りのビットデータを伝送路を分けて伝送する場合、片方の伝送路が故障などで切断された際、どちらの伝送路が切断されたかによって伝送先に到達する映像信号のビットデータが異なってしまう。  【解決手段】切断経路に応じて映像信号のビットデータの伝送経路を入れ替える。【選択図】図２
2018201098.tif 000002
【特許請求の範囲】
【請求項１】
映像送出装置と、
第１と第２の伝送経路で前記映像送出装置に接続された映像受信装置とを備え、
前記映像送出装置は、
前記第１の伝送経路でデータを伝送する第１伝送手段と、
前記第２の伝送経路でデータを伝送する第２伝送手段と、
前記第１の伝送手段で伝送しているデータと、前期第２の伝送手段で伝送しているデータの伝送経路を入れ替えるデータ伝送経路入替手段とを備え、
前記映像受信装置は、
前記第１の伝送経路でデータを受信する第１受信手段と、
前記第２の伝送経路でデータを受信する第２受信手段と、
を備えることを特徴とする映像表示システム。
【請求項２】
前記映像送出装置は、
データ伝送経路入替要求受付手段を備え、
前記データ伝送経路入替要求受付手段がデータ伝送経路入替の要求を受けた際に、前記データ伝送経路入替手段でデータの伝送経路を入れ替えることを特徴とする請求項１に記載の映像表示システム。
【請求項３】
前記映像受信装置は、
前記第１の伝送経路で伝送する第１のデータと
前記第２の伝送経路で伝送する第２のデータとの伝送経路の入れ替えの要求を行う伝送経路切換経路要求手段を備えることを特徴とする請求項１に記載の映像表示システム。
【請求項４】
前記映像送出装置は、
前記第１の伝送経路で伝送する第１のデータと前記第２の伝送経路で伝送する第２のデータが映像信号であり、前記第１のデータと前記第２のデータで同一のデータとなっている部分と、異なるデータとなっている部分を表すデータ配置情報を生成するデータ配置情報生成手段を備えることを特徴とする請求項１に記載の映像表示システム。
【請求項５】
前記映像送出装置は、
前記データ配置情報を、前記第１のデータないし前記第２のデータに付与するデータ配置情報付与手段を備えることを特徴とする請求項１乃至４のいずれか１項に記載の映像表示システム。
【請求項６】
前記映像送出装置は、
前記データ配置情報を、前記第１のデータないし前記第２のデータに付与するデータ配置情報付与手段を備えることを特徴とする請求項１乃至３のいずれか１項に記載の映像表示システム。
【請求項７】
前記映像送出装置は、
前記データ伝送経路入替要求受付手段で受け付け可能な機器を登録する経路受付可能機器登録手段を備えることを特徴とする請求項１または２に記載の映像表示システム。
【発明の詳細な説明】
【技術分野】
【０００１】
本発明は、映像表示システム及びその制御方法に関するものである。
【背景技術】
【０００２】
現在、放送機器の映像伝送にはＳＤＩ（シリアル・デジタル・インタフェース）が用いられている。ＳＤＩでは同軸ケーブル１本で約３Ｇｂｐｓまで伝送可能な３Ｇ−ＳＤＩが実用化されており、広く普及している。
【０００３】
しかし、４Ｋ／６０Ｐのような大容量の映像データを同軸ケーブル１本で伝送するには転送レートが足りない。そこで、複数の同軸ケーブルを用いて伝送する方法が考案されている。例えば、同軸ケーブルを４本用いることで、４Ｋ／６０Ｐ映像を伝送することが可能である。しかし、機材間の接続に従来の４倍の数のケーブルを使用するため、同軸ケーブルの設置スペースや重量が課題となる。
【０００４】
そこで近年では、撮影した映像信号をＩｎｔｅｒｎｅｔ  Ｐｒｏｔｏｃｏｌ（以降は、ＩＰと記載する）に変換して、Ｌｏｃａｌ  Ａｒｅａ  Ｎｅｔｗｏｒｋ（以降は、ＬＡＮと記載する）等のネットワークを使ってリアルタイムに伝送する映像伝送システムが開発されている。ネットワーク機器は、同軸ケーブルに比べてより高速な伝送が実用化されており、さらに、映像を分配する機器も汎用設備を利用できるため安価に環境を構築できる等のメリットがある。したがって、今後、映像伝送システムのＩＰ化が急速に進行すると考えられる。
【０００５】
映像出力システムにおけるＩＰネットワーク伝送では、デジタル化された映像データをベースバンド（非圧縮）で伝送したり、エンコード（圧縮符号化処理）して伝送したりする手法がある。符号化方法としては、例えば、国際標準規格のＭＰＥＧ−２（Ｍｏｖｉｎｇ  Ｐｉｃｔｕｒｅ  Ｅｘｐｅｒｔｓ  Ｇｒｏｕｐ  ｐｈａｓｅ２）等がある。そして、リアルタイム性の求められる映像データや音声データを伝送するプロトコルとしてＲＴＰ（Ｒｅａｌ−ｔｉｍｅ  Ｔｒａｎｓｐｏｒｔ  Ｐｒｏｔｏｃｏｌ）が使われる。
【０００６】
ＲＴＰでは映像出力装置側でヘッダー部にパケットの順序番号やタイムスタンプを付加することによって、受信装置側で適切な順序で再生することができる。また、ＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）を用いることによって、ＲＴＰのフロー制御を行うための情報を送受信装置間で双方向通信することができる。これにより、受信装置側で検出したパケット損失や、伝送中の遅延情報を映像出力装置へ通知することができる。
【０００７】
一般的にＲＴＰでは、ＵＤＰ（Ｕｓｅｒ  Ｄａｔａｇｒａｍ  Ｐｒｏｔｏｃｏｌ）をトランスポート層のプロトコルとして使用しており、映像データの再送制御はないため、ＲＴＣＰで伝送路の輻輳状態を監視し、転送ビットレートの制御が行われる。
【０００８】
上記映像データのＩＰ伝送は、国際標準化を目指して議論されており、ＳＭＰＴＥ（Ｓｏｃｉｅｔｙ  ｏｆ  Ｍｏｔｉｏｎ  Ｐｉｃｔｕｒｅ  ＆  Ｔｅｌｅｖｉｓｉｏｎ  Ｅｎｇｉｎｅｅｒｓ）２０２２規格としてまとめられている。ＳＭＰＴＥ２０２２−７規格では、「Ｓｅａｍｌｅｓｓ  Ｐｒｏｔｅｃｔｉｏｎ  Ｓｗｉｔｃｈｉｎｇ」として映像データパケットを二重化して伝送し、どちらかの伝送路がダウンしても瞬時に正常な伝送路に切り替える方法について記載されている。さらに、ＳＭＰＴＥ２０２２−７規格では、映像信号を途切れなく伝送するために、二重化された伝送路間のスキューに対応する受信クラスやスキュー値としての時間を規定している。例えば、Ｈｉｇｈ  Ｂｉｔ  Ｒａｔｅの映像伝送におけるモデルスキューは、クラスＢ、５０［ｍｓ］以下のように規定されている。
【０００９】
ところで、近年、より高精度な諧調表現を可能にするため、映像データの多ビット化が進んでおり、映像信号の伝送データ量が増加している。このような状況で映像データパケットの二重化を行おうとしても、既存の設備では通信帯域を確保することが難しい。
【００１０】
ここで、特許文献１には、映像情報の重要度に応じ、最重要データは複数の伝送路で伝送し、伝送帯域が不足する場合は重要度の低いデータを破棄する方法が開示されている。
【００１１】
そして、この先行技術を用いれば、多ビットの映像信号を二重化伝送するシステムにおいて、上位ビットのみを二重化し、下位ビットは伝送路ごとに異なるビットデータを送ることで、全体の伝送データ量を低減することが可能である。
【先行技術文献】
【特許文献】
【００１２】
【特許文献１】特開２００３−３０９５９４号公報
【発明の概要】
【発明が解決しようとする課題】
【００１３】
しかしながら上記の技術では、片方の伝送路が故障などで切断された際、どちらの伝送路が切断されたかによって、伝送先に到達する映像信号のビットデータが異なり、表示できる映像のビット深度も切断経路によって変わってしまう。
【００１４】
そこで本発明は、切断経路に応じて映像信号のビットデータの伝送経路を入れ替えることで、どちらの経路を切断されたとしても、同じビット深度の映像を表示できる映像表示システムを提供することを目的とする。
【課題を解決するための手段】
【００１５】
本発明の映像表示システムは、かかる目的を達成するために、
映像送出装置と、
第１と第２の伝送経路で前記映像送出装置に接続された映像受信装置とを備え、
前記映像送出装置は、
前記第１の伝送経路でデータを伝送する第１伝送手段と、
前記第２の伝送経路でデータを伝送する第２伝送手段と、
前記第１の伝送手段で伝送しているデータと、前期第２の伝送手段で伝送しているデータの伝送経路を入れ替えるデータ伝送経路入替手段とを備え、
前記映像受信装置は、
前記第１の伝送経路でデータを受信する第１受信手段と、
前記第２の伝送経路でデータを受信する第２受信手段と、
を備えることを特徴とする構成とした。
【発明の効果】
【００１６】
以上説明したように、本発明によれば、切断経路に応じて映像信号のビットデータの伝送経路を入れ替えることで、どちらの経路を切断されたとしても、同じビット深度の映像を表示することができる。
【図面の簡単な説明】
【００１７】
【図１】実施例１における映像表示システムのシステム構成を示す図である。
【図２】実施例１における撮像装置の構成を示す図である。
【図３】実施例１における映像信号ＩＰパケット化部でＩＰパケット化した映像信号のデータパケットを示す図である。
【図４】実施例１における表示装置の構成を示す図である。
【図５】実施例１における撮像装置から表示装置に送信されるＩＰパケットに付与されるビット配置情報を示す図である。
【図６】実施例１における撮像装置から表示装置に送信されるＩＰパケットに付与されるビット配置情報を示す図である。
【図７】実施例１における映像信号のビット配置を示す図である。
【図８】実施例１における表示装置の処理を説明するフロー図である。
【図９】実施例１におけるＬＡＮケーブルの経路切断時のビット配置を示す図である。
【図１０】実施例１におけるＬＡＮケーブルの経路切断時のビット配置を示す図である。
【図１１】実施例１における伝送経路切換完了後のビット配置を示す図である。
【図１２】実施例２における映像表示システムのシステム構成を示す図である。
【図１３】実施例２における撮像装置の構成を示す図である。
【図１４】実施例２における表示装置の構成を示す図である。
【図１５】実施例２における撮像装置の処理を説明するフロー図である。
【図１６】実施例２における映像伝送開始時のビット配置を示す図である。
【図１７】実施例２におけるＬＡＮケーブルの経路切断時のビット配置を示す図である。
【図１８】実施例２におけるＬＡＮケーブルの経路切断時のビット配置を示す図である。
【図１９】実施例３における撮像装置の構成を示す図である。
【発明を実施するための形態】
【００１８】
＜第１の実施形態＞
「システム構成の説明」
図１は、本発明の第１の実施形態に係る映像表示システムのシステム構成図である。撮像装置１０１は、撮影を行い、撮影した映像信号をＩＰに変換して、ＬＡＮケーブル１０３とＬＡＮケーブル１０４とを経由して表示装置１０２に、ＩＰ化した映像信号を送信する装置である。
【００１９】
表示装置１０２は、撮像装置１０１から送信されるＩＰ化された映像信号を、ＬＡＮケーブル１０３とＬＡＮケーブル１０４とを経由して受信し、表示を行う装置である。撮像装置１０１は、ＬＡＮケーブル１０３とＬＡＮケーブル１０４を介して、映像信号の一部を二重化した信号を、表示装置１０２に送信する。
【００２０】
例えば、撮像装置１０１で撮影した映像信号が各色１６ビットの信号である場合に、撮影した映像信号の上位８ビットを基本映像信号、撮影した映像信号の下位８ビットを拡張映像信号とする。撮像装置１０１は、基本映像信号をＬＡＮケーブル１０３とＬＡＮケーブル１０４とを用いて、二重で伝送を行う。そして、拡張映像信号８ビットのうちの上位４ビットをＬＡＮケーブル１０３で伝送を行い、拡張映像信号８ビットのうちの下位４ビットをＬＡＮケーブル１０４で伝送を行う。
【００２１】
表示装置１０２は、撮像装置１０１から送信された信号をＬＡＮケーブル１０３、１０４を介して受信し、それらの信号から映像信号を復元し、表示を行う。表示装置１０２の構成の詳細については後述する。
【００２２】
「撮像装置１０１の構成の説明」
図２は、本発明の第１の実施形態に係る撮像装置１０１の構成図である。撮像装置１０１の各処理部について図２を用いて説明する。撮像部２０１は、不図示の撮影レンズにより取り込まれた被写体の光学像を、不図示の撮像素子により映像信号に変換し、アナログデジタル変換、画像調整処理などを行い、映像信号を生成し、映像信号ＩＰパケット化部２０２に出力する。
【００２３】
映像信号ＩＰパケット化部２０２は、撮像部２０１が出力する映像信号をＩＰパケット化する処理部である。映像信号ＩＰパケット化部２０２は、映像信号をＲｅａｌｔｉｍｅ  Ｔｒａｎｓｐｏｒｔ  Ｐｒｏｔｏｃｏｌ（以降は、ＲＴＰと記載する）で伝送するために、映像信号をデータパケットに変換する。
【００２４】
図３に示すデータパケットは、映像信号ＩＰパケット化部２０２でＩＰパケット化した映像信号のデータパケットを示している。データパケットは、ＩＰヘッダ３０１、Ｕｓｅｒ  Ｄａｔａｇｒａｍ  Ｐｒｏｔｏｃｏｌ（以降は、ＵＤＰと記載する）ヘッダ３０２、ＲＴＰヘッダ３０３、ＲＴＰペイロード３０４で構成される。このうち、映像信号はＲＴＰペイロードに格納される。また、映像信号ＩＰパケット化部２０２は、映像信号パッキング方法決定部２０３で決定するパッキング方法に基づいて、映像信号のパッキングを行う。
【００２５】
また、映像信号ＩＰパケット化部２０２は、ビット配置情報をビット配置情報生成部２０４より取得して、ＩＰパケットに付与する。通信制御部２０５、２０６は、映像信号ＩＰパケット化部２０２でＩＰパケット化された映像信号を出力する処理部である。
また、通信制御部２０５、２０６は、映像信号をＲＴＰで伝送し、伝送制御はＲＴＰ  Ｃｏｎｔｒｏｌ  Ｐｒｏｔｏｃｏｌ（以降は、ＲＴＣＰと記載する）で行う。
【００２６】
さらに、通信制御部２０５、２０６は、拡張ビット伝送経路切換要求受付部２０７の要求に従って、表示装置１０２の拡張ビット伝送経路切換要求を取得するための通信も行う。
【００２７】
拡張ビット伝送経路切換要求受付部２０７は、通信制御部２０５、２０６を介して得た拡張ビット伝送経路切換要求を、映像信号パッキング方法決定部２０３に出力する。映像信号パッキング方法決定部２０３は、表示装置１０２からの拡張ビット伝送経路切換要求に基づいてパッキング方法を決定する。
【００２８】
ビット配置情報生成部２０４は、映像信号パッキング方法決定部２０３で決定されたパッキング方法に基づいてビット配置情報を生成する。ビット配置情報については後述する。
【００２９】
「表示装置１０２の構成の説明」
図４は、本発明の第１の実施形態に係る表示装置１０２の構成図である。表示装置１０２の各処理部について図４を用いて説明する。通信制御部４０１、４０２は、撮像装置１０１から出力されたＩＰパケットを受信する処理部である。また、通信制御部４０１、４０２は、拡張ビット伝送経路切換要求部４０３の要求に従って、表示装置１０２の拡張ビット伝送経路切換要求を撮像装置１０１に出力するための通信も行う。また、通信制御部４０１、４０２は、ＲＴＣＰによって、撮像装置１０１との通信状況の伝達を行う。
【００３０】
通信経路切断検知部４０４は、通信制御部４０１、４０２を介して撮像装置１０１との通信経路切断を検知し、拡張ビット伝送経路切換要求部４０３に通知する。
【００３１】
映像信号ＩＰパケット解除部４０５、４０６は、通信制御部４０１、４０２を介して得た撮像装置１０１の出力ＩＰパケットから映像信号を取り出し、表示映像生成部４０７に出力する。また、映像信号ＩＰパケット解除部４０５、４０６は、通信制御部４０１、４０２を介して得た撮像装置１０１の出力ＩＰパケットからビット配置情報を取り出し、ビット配置情報取得部４０８に出力する。
【００３２】
拡張ビット伝送経路切換要求部４０３は、通信経路切断検知部４０４が検知する切断された経路と、ビット配置情報取得部４０８で取得したビット配置情報と、に基づいて、拡張ビット伝送経路の切換要求を撮像装置１０１に行う。切換要求は、ＬＡＮケーブル１０３、１０４で接続された経路のうち、通信が切断されていない方の経路を通して行う。
【００３３】
表示映像生成部４０７は、ビット配置情報取得部４０８で取得したビット配置情報に基づいて、映像信号ＩＰパケット解除部４０５、４０６から取得した映像信号を用いて表示映像を生成する。表示部４０９は、表示映像生成部４０７で生成された表示映像を表示する。
【００３４】
「ビット配置情報と、伝送信号のビット配置」
ビット配置情報と、伝送信号のビット配置について図５、６、７を用いて説明する。図５のビット配置情報５０１は、ＬＡＮケーブル１０３を介して撮像装置１０１から表示装置１０２に送信されるＩＰパケットに付与されるビット配置情報を示す。
【００３５】
図６のビット配置情報６０１は、ＬＡＮケーブル１０４を介して撮像装置１０１から表示装置１０２に送信されるＩＰパケットに付与されるビット配置情報を示す。
【００３６】
全ビット深度５０２、６０２は、撮像装置１０１で撮影され、表示装置１０２に伝送される映像信号のビット深度を示しており、本実施例では１６ビットとしている。基本映像信号ビット深度５０３、６０３は、撮像装置１０１からＬＡＮケーブル１０３とＬＡＮケーブル１０４の両方の経路を通して伝送される信号のビット深度を示している。本実施例では、撮影された映像信号の上位８ビットが二重化されて撮像装置１０１から表示装置１０２に伝送されることを示している。
【００３７】
拡張映像信号ビット深度５０４、６０４は、撮像装置１０１から表示装置１０２に伝送される映像信号の中で、二重化されないビットデータのビット深度を示しており、本実施例では撮影された映像信号の下位８ビットを示す。伝送拡張映像信号ビット５０５は、二重化されない映像信号のビットデータの中で、ＬＡＮケーブル１０３を介して撮像装置１０１から表示装置１０２に送信されるビットデータを示す。
【００３８】
伝送拡張映像信号ビット６０５は、二重化されない映像信号のビットデータの中で、ＬＡＮケーブル１０４を介して撮像装置１０１から表示装置１０２に送信されるビットデータを示す。
【００３９】
すなわち、撮像装置１０１で撮影された映像信号の上位８ビットは二重化され表示装置１０２に伝送され、下位８ビットのうちビット４からビット７まではＬＡＮケーブル１０３を介し、ビット０からビット３まではＬＡＮケーブル１０４を介して表示装置１０２に伝送される。
【００４０】
図７はビット配置を説明する図である。ビット配置７０１は、撮像装置１０１で撮影した映像信号のビット配置であり、本実施例では１６ビットの信号となる。ビット配置７０２は、ＬＡＮケーブル１０３で伝送される映像信号のビット配置である。このとき、ビット配置７０１の上位８ビットを基本映像信号７０３として配置する。そして、このときビット配置７０１の拡張映像信号７０４の上位４ビットを伝送拡張映像信号７０５として配置する。
【００４１】
ビット配置７０６は、ＬＡＮケーブル１０４で伝送される映像信号のビット配置である。このときビット配置７０１の上位８ビットを基本映像信号７０３として配置する。そして、このときビット配置７０１の拡張映像信号７０４の下位４ビットを伝送拡張映像信号７０７として配置する。ビット配置７０８は、ＬＡＮケーブル１０３、１０４で伝送された映像信号から復元し、表示装置１０２で表示する映像信号のビット配置である。
【００４２】
「経路切断時の処理フローの説明」
本発明の第１の実施形態に係る映像表示システムにおける表示装置１０２の処理について、図８を用いて説明する。
【００４３】
Ｓ８０１では、通信経路切断検知部４０４で、ＬＡＮケーブル１０３またはＬＡＮケーブル１０４を介した通信が切断しているか検知する。Ｓ８０２では、伝送経路が切断している場合はＳ８０３に進み、伝送経路が切断していない場合はＳ８０４に進む。
【００４４】
Ｓ８０４では、通信制御部４０１、４０２が、それぞれＬＡＮケーブル１０３、１０４を介して、ビット配置７０２、７０６のようなビットデータを含むＩＰパケットを受信する。そして、映像信号ＩＰパケット解除部４０５、４０６で、映像信号を取り出し、表示映像生成部４０７に出力する。表示映像生成部４０７では、ビット配置７０２、７０６の映像信号からビット配置７０８のように、撮像装置１０１で撮像された映像信号のビット配置７０１を復元し、表示部４０９に表示する。
【００４５】
Ｓ８０３では、ビット配置情報取得部４０８により、切断されていない経路のビット配置情報を取得、確認し、Ｓ８０５に進む。Ｓ８０５では、切断されていない経路のビット配置情報から、表示装置１０２が受信した映像信号の伝送拡張映像信号が、拡張映像信号７０４の下位ビットか否かを判断し、下位ビットであればＳ８０６に進み、下位ビットでなければＳ８０７に進む。Ｓ８０７における処理について図９を用いて説明する。
【００４６】
図９は、ＬＡＮケーブル１０４の経路が切断された場合のビット配置を示す。ビット配置９０１は、撮像装置１０１で撮影した映像信号のビット配置である。ビット配置９０２は、ＬＡＮケーブル１０３で伝送される映像信号のビット配置であり、基本映像信号９０３と、伝送拡張映像信号９０４により構成される。ビット配置９０５は、ＬＡＮケーブル１０４で伝送される映像信号のビット配置であるが、ＬＡＮケーブル１０４の経路が切断されているため、表示装置１０２では受信されない。
【００４７】
ビット配置９０６は表示映像生成部４０７で生成される映像信号のビット配置を示しており、ＬＡＮケーブル１０３を介して伝送された基本映像信号９０３と伝送拡張映像信号９０４により構成される。
【００４８】
Ｓ８０７では、表示映像生成部４０７で生成されたビット配置９０６の映像信号を、表示部４０９に表示する。本実施例では１２ビットの信号を表示する。Ｓ８０６における処理について図１０を用いて説明する。
【００４９】
図１０は、ＬＡＮケーブル１０３の経路が切断された場合のビット配置を示す。ビット配置１００１は、撮像装置１０１で撮影した映像信号のビット配置である。ビット配置１００２は、ＬＡＮケーブル１０３で伝送される映像信号のビット配置であるが、ＬＡＮケーブル１０３の経路が切断されているため、表示装置１０２では受信されない。
【００５０】
ビット配置１００３は、ＬＡＮケーブル１０４で伝送される映像信号のビット配置であり、基本映像信号１００４と、伝送拡張映像信号１００５により構成される。ビット配置１００６は表示映像生成部４０７で生成される映像信号のビット配置を示しており、ＬＡＮケーブル１０４を介して伝送された基本映像信号１００４により構成される。
【００５１】
Ｓ８０６では、表示映像生成部４０７で生成されたビット配置１００６の映像信号を、表示部４０９に表示する。本実施例では８ビットの信号を表示する。Ｓ８０８では、拡張ビット伝送経路切換要求部４０３が、切断された経路と、ビット配置情報取得部４０８で取得したビット配置情報に基づいて、拡張ビット伝送経路の切換要求を撮像装置１０１に行う。切換要求は、ＬＡＮケーブル１０３、１０４で接続された経路のうち、通信が切断されていない方の経路を通して行う。
【００５２】
Ｓ８０９では、ビット配置情報取得部４０８で取得したビット配置情報から、撮像装置１０１による伝送経路切換が完了したかどうかを判断する。伝送経路切換が完了していればＳ８１０に進み、完了していなければＳ８０６に戻る。
Ｓ８１０における処理について図１１を用いて説明する。
【００５３】
図１１は、ＬＡＮケーブル１０３の経路が切断され、その後、伝送経路切換が完了したときのビット配置を示す。ビット配置１１０１は、撮像装置１０１で撮影した映像信号のビット配置である。ビット配置１１０２は、ＬＡＮケーブル１０３で伝送される映像信号のビット配置であるが、ＬＡＮケーブル１０３の経路が切断されているため、表示装置１０２では受信されない。
【００５４】
ビット配置１１０３は、ＬＡＮケーブル１０３による通信経路が切断され、撮像装置１０１が伝送経路切換要求を受け付け、伝送経路を切り換えた後にＬＡＮケーブル１０４で伝送される映像信号のビット配置であり、基本映像信号１１０４と、伝送拡張映像信号１１０５により構成される。
【００５５】
ビット配置１１０６は表示映像生成部４０７で生成される映像信号のビット配置を示しており、ＬＡＮケーブル１０４を介して伝送された基本映像信号１１０４と伝送拡張映像信号１１０５により構成される。Ｓ８１０では、表示映像生成部４０７で生成されたビット配置１１０６の映像信号を、表示部４０９に表示する。本実施例では１２ビットの信号を表示する。
【００５６】
「第１の実施形態の効果」
以上のように、本実施例で説明した映像表示システムは、切断経路に応じて映像信号のビットデータの伝送経路を入れ替えることで、どちらの経路を切断されたとしても、同じビット深度の映像を表示することができる。
【００５７】
＜第２の実施形態＞
「システム構成の説明」
図１２は、本発明の第２の実施形態に係る映像表示システムのシステム構成図である。撮像装置１２０１は、撮影を行い、撮影した映像信号をＩＰに変換して、ＬＡＮケーブル１２０２を経由しハブ１２０３にＩＰ化した映像信号を送信する装置である。また、撮像装置１２０１は、撮影した映像信号をＩＰに変換して、ＬＡＮケーブル１２０４を経由しハブ１２０５にもＩＰ化した映像信号を送信する。ハブ１２０３は、撮像装置１２０１から送信された映像信号のＩＰパケットを受信し、ＬＡＮケーブル１２０６を介して表示装置１２０７に、ＬＡＮケーブル１２０８を介して表示装置１２０９に、同じ映像信号を含むＩＰパケットを送信する。
【００５８】
ハブ１２０５は、撮像装置１２０１から送信された映像信号のＩＰパケットを受信し、ＬＡＮケーブル１２１０を介して表示装置１２０７に、ＬＡＮケーブル１２１１を介して表示装置１２０９に、同じ映像信号を含むＩＰパケットを送信する。
【００５９】
表示装置１２０７、１２０９は、撮像装置１２０１から送信されるＩＰ化された映像信号を、ハブ１２０３とハブ１２０５とを経由して受信し、表示を行う装置である。撮像装置１２０１は、ＬＡＮケーブル１２０２とＬＡＮケーブル１２０４を介して、映像信号の一部が同じ信号を、ハブ１２０３とハブ１２０５に送信する。
【００６０】
例えば、撮像装置１２０１で撮影した映像信号が各色１６ビットの信号である場合に、撮影した映像信号の上位８ビットを基本映像信号、撮像した映像信号の下位８ビットを拡張映像信号とする。
【００６１】
撮像装置１２０１は、基本映像信号をＬＡＮケーブル１２０２とＬＡＮケーブル１２０４とを用いて、二重で伝送を行う。そして、拡張映像信号８ビットのうちの上位４ビットをＬＡＮケーブル１２０２で伝送を行い、拡張映像信号８ビットのうちの下位４ビットをＬＡＮケーブル１２０４で伝送を行う。ハブ１２０３は、ＬＡＮケーブル１２０２を介して受信した映像信号を、ＬＡＮケーブル１２０６、１２０８を介して表示装置１２０７、１２０９に送信する。
【００６２】
ハブ１２０５は、ＬＡＮケーブル１２０４を介して受信した映像信号を、ＬＡＮケーブル１２１０、１２１１を介して表示装置１２０７、１２０９に送信する。表示装置１２０７は、ハブ１２０３、１２０５から送信された信号をＬＡＮケーブル１２０６、１２１０を介して受信し、それらの信号から映像信号を復元し、表示を行う。表示装置１２０９は、ハブ１２０３、１２０５から送信された信号をＬＡＮケーブル１２０８、１２１１を介して受信し、それらの信号から映像信号を復元し、表示を行う。表示装置１２０７、１２０９の構成の詳細については後述する。
【００６３】
「撮像装置１２０１の構成の説明」
図１３は、本発明の第２の実施形態に係る撮像装置１２０１の構成図である。撮像装置１２０１の各処理部について図１３を用いて説明する。なお、第２の実施形態の説明において、上述した第１の実施形態と共通する部分については、適宜説明を省略する。
【００６４】
第１の実施形態の撮像装置１０１と異なる点は、切換可能機器記憶部１３０１と、切換可能機器登録受付部１３０２と、切換要求通知部１３０３とを備える点と、拡張ビット伝送経路切換要求受付部１３０４の処理が異なる点である。切換可能機器記憶部１３０１は、切換可能機器登録受付部１３０２で受け付けた伝送経路の切換要求が可能な機器を記憶する処理部である。本実施例では、表示装置１２０７が登録されるとする。
【００６５】
切換可能機器登録受付部１３０２は、不図示のリモコンやタッチパネル等の操作インターフェースにより、ユーザーが指定する伝送経路の切換要求が可能な機器の登録を受け付ける処理部である。切換要求通知部１３０３は、拡張ビット伝送経路切換要求受付部１３０４からの指示により、通信制御部２０５または２０６を介して、切換要求があったことを切換可能機器記憶部１３０１に記憶されている装置に通知する処理部である。
【００６６】
拡張ビット伝送経路切換要求受付部１３０４は、通信制御部２０５または通信制御部２０６を介して得た拡張ビット伝送経路切換要求の要求元が、切換可能機器記憶部１３０１に記憶されている機器と一致する場合は、撮像装置１０１の拡張ビット伝送切換要求受付部２０７と同等の処理を行う。
【００６７】
拡張ビット伝送経路切換要求受付部１３０４は、通信制御部２０５、２０６を介して得た拡張ビット伝送経路切換要求の要求元が、切換可能機器記憶部１３０１に記憶されている機器と一致しない場合は、切換要求通知部１３０３により、切換可能機器記憶部１３０１に記憶されている装置に切換要求があったことを通知する。
【００６８】
「表示装置１２０７の構成の説明」
図１４は、本発明の第２の実施形態に係る表示装置１２０７の構成図である。表示装置１２０７の各処理部について図１４を用いて説明する。なお、第２の実施形態の説明において、上述した第１の実施形態と共通する部分については、適宜説明を省略する。
また、表示装置１２０９は、表示装置１２０７と同等の構成である。
【００６９】
第１の実施形態の表示装置１０２と異なる点は、切換要求通知受信部１４０１と、切換要求タイミング判断部１４０２とを備える点と、拡張ビット伝送経路切換要求部１４０３の処理が異なる点である。
【００７０】
切換要求通知受信部１４０１は、通信制御部４０１または通信制御部４０２を介して受信する撮像装置１２０１からの切換要求通知を受信する処理部である。切換要求タイミング判断部１４０２は、切換要求通知受信部１４０１を介して撮像装置１２０１からの切換要求通知があった場合に、撮像装置１２０１に拡張ビット伝送切換要求を行うタイミングの判断を行う処理部である。
【００７１】
切換要求タイミング判断部１４０２は、表示装置１２０７の状態に応じて、切換要求のタイミングの判断を行う。
【００７２】
具体的には、不図示の記憶部に通信制御部４０１、４０２を介して受信した信号の記録を行っている場合は、切換要求をできないと判断し、記録を行っていない場合は切換をできると判断する。
【００７３】
もしくは、不図示のユーザーインターフェースによって、切換要求をできる状態、切換要求できない状態の登録をユーザーが行ってもよい。もしくは、不図示のユーザーインターフェースを介し、切換を行って良いかユーザーに問い合せることで、切換要求のタイミングの判断を行ってもよい。拡張ビット伝送経路切換要求部１４０３は、切換要求タイミング判断部１４０２から、拡張ビット伝送切換要求を行うタイミングであるという通知を受け取ると、拡張ビット伝送経路切換要求部４０３と同様の処理を行うことで、切換要求を撮像装置１２０１に通知する。また、拡張ビット伝送経路切換要求部１４０３は、通信経路切断検知部４０４と同様に経路切断を検知した場合も切換要求を撮像装置１２０１に通知する。
【００７４】
「撮像装置１２０１の処理フローの説明」
本発明の第２の実施形態に係る映像表示システムにおける撮像装置１２０１の処理について、図１５を用いて説明する。まず、Ｓ１５０１において、撮像装置１２０１は、切換可能機器登録受付部１３０２により、ユーザーが指定する機器を切換可能機器記憶部１３０１に記憶する。本実施例では、表示装置１２０７が登録されたとする。
【００７５】
続いて、Ｓ１５０２において、撮像装置１２０１は、基本映像信号８ビット、拡張映像信号８ビットの映像信号の伝送を開始する。
【００７６】
図１６は、その時の映像信号のビット配置を示す図である。ビット配置１６０１は、撮像装置１２０１で撮影した映像信号のビット配置であり、本実施例では１６ビットの信号となる。
【００７７】
ビット配置１６０２は、ＬＡＮケーブル１２０２で伝送される映像信号のビット配置である。このとき、ビット配置１６０１の上位８ビットを基本映像信号１６０３として配置する。そして、このときビット配置１６０１の拡張映像信号１６０４の上位４ビットを伝送拡張映像信号１６０５として配置する。
【００７８】
ビット配置１６０６は、ＬＡＮケーブル１２０４で伝送される映像信号のビット配置である。このときビット配置１６０１の上位８ビットを基本映像信号１６０３として配置する。そして、このときビット配置１６０１の拡張映像信号１６０４の下位４ビットを伝送拡張映像信号１６０７として配置する。
【００７９】
ビット配置１６０８は、ＬＡＮケーブル１２０６、１２１０で伝送された映像信号から復元し、表示装置１２０７で表示する映像信号のビット配置である。ビット配置１６０９は、ＬＡＮケーブル１２０８、１２１１で伝送された映像信号から復元し、表示装置１２０９で表示する映像信号のビット配置である。
【００８０】
Ｓ１５０３では、撮像装置１２０１は、拡張ビット伝送経路切換要求の受付待ちになる。撮像装置１２０１は、拡張ビット伝送経路切換要求の受付があると、切換可能機器記憶部１３０１から登録機器を取得し、拡張ビット伝送経路切換要求の要求元の表示装置と比較を行う。Ｓ１５０４において、拡張ビット伝送経路切換要求の要求元の表示装置が表示装置１２０７である場合、切換可能機器記憶部１３０１に記憶されている機器と一致するため、Ｓ１５０５に進む。Ｓ１５０５では、本発明の第１の実施形態の拡張ビット伝送経路切換処理と同等の処理を行う。そして、撮像装置１２０１は、Ｓ１５０３に戻り、再び拡張ビット伝送経路切換要求待ちとなる。
【００８１】
一方、ＬＡＮケーブル１２０８が切断されると、その時の伝送状態は、図１７で示すビット配置のような状態になる。ビット配置１７０１は、撮像装置１２０１で撮影した映像信号のビット配置である。ビット配置１７０２は、ＬＡＮケーブル１２０８で伝送される映像信号のビット配置であるが、ＬＡＮケーブル１２０８の経路が切断されているため、表示装置１２０９では受信されない。ビット配置１７０３は、ＬＡＮケーブル１２１１で伝送される映像信号のビット配置であり、基本映像信号１７０４と、伝送拡張映像信号１７０５により構成される。
【００８２】
ビット配置１７０６は、表示装置１２０９の表示映像生成部４０７で生成される映像信号のビット配置を示しており、ＬＡＮケーブル１２１１を介して伝送された基本映像信号１７０４により構成される。すなわち表示装置１２０９は、ビット配置１７０６で示すように８ビットの映像信号の表示を行うこととなる。このとき表示装置１２０９は、拡張ビット伝送経路切換要求部１４０３により撮像装置１２０１に拡張ビット伝送経路切換要求を行う。
【００８３】
Ｓ１５０４において、撮像装置１２０１は、拡張ビット伝送経路切換要求の要求元の表示装置が、表示装置１２０９である場合、切換可能機器記憶部１３０１に記憶されている機器と一致しないため、Ｓ１５０６に進む。Ｓ１５０６では、撮像装置１２０１は、切換要求通知部１３０３により、登録機器である表示装置１２０７に切換要求通知を行う。そして、撮像装置１２０１は、Ｓ１５０３に戻り、再び拡張ビット伝送経路切換要求待ちとなる。
【００８４】
一方、表示装置１２０７は、Ｓ１５０６において撮像装置１２０１から通知された切換要求通知を切換要求通知受信部１４０１で受信すると、切換要求タイミング判断部１４０２により自装置の状態を鑑み切換要求を行うタイミングを判断する。
【００８５】
そして、表示装置１２０７は、自装置の状態が拡張ビット伝送経路切換可能なタイミングであると判断すると、拡張ビット伝送経路切換要求部１４０３により撮像装置１２０１に拡張ビット伝送経路切換要求を行う。
【００８６】
それにより撮像装置１２０１は、Ｓ１５０３において切換可能登録機器である表示装置１２０７からの拡張ビット伝送切換要求を受信する。そして、撮像装置１２０１は、Ｓ１５０５において、本発明の第１の実施形態の拡張ビット伝送経路切換処理と同等の処理を行う。その結果、伝送状態は、図１８で示すビット配置のような状態になる。
【００８７】
ビット配置１８０１は、撮像装置１２０１で撮影した映像信号のビット配置である。ビット配置１８０２は、ＬＡＮケーブル１２０８で伝送される映像信号のビット配置であるが、ＬＡＮケーブル１２０８の経路が切断されているため、表示装置１２０９では受信されない。ビット配置１８０３は、ＬＡＮケーブル１２１１で伝送される映像信号のビット配置であり、基本映像信号１８０４と、伝送拡張映像信号１８０５により構成される。
【００８８】
ビット配置１８０６は、表示装置１２０９の表示映像生成部４０７で生成される映像信号のビット配置を示しており、ＬＡＮケーブル１２１１を介して伝送された基本映像信号１８０４と伝送拡張映像信号１８０５により構成される。
すなわち表示装置１２０９は、ビット配置１８０６で示すように１２ビットの映像信号の表示を行うことが可能となる。
【００８９】
「第２の実施形態の効果」
以上のように、本実施例で説明した映像表示システムは、切換可能登録機器からの要求時のみ映像信号のビットデータの伝送経路を入れ替えることで、伝送経路切換処理による登録機器への影響を低減することができる。
【００９０】
＜第３の実施形態＞
図１９は、本発明の第３の実施形態に係る撮像装置１９０１の構成図である。撮像装置１９０１の各処理部について図１９を用いて説明する。なお、第３の実施形態の説明において、上述した第１の実施形態と共通する部分については、適宜説明を省略する。
【００９１】
第１の実施形態の撮像装置１０１と異なる点は、通信経路切断履歴記憶部１９０２と、拡張ビット深度決定部１９０３とを備える点である。通信経路切断履歴記憶部１９０２は、通信経路が切断された履歴を記録する処理部である。拡張ビット深度決定部１９０３は、通信経路切断履歴記憶部１９０２に記録されている切断履歴に基づき、拡張映像信号のビット深度を何ビットにするかを決定する処理部である。撮像装置１９０１は、過去の切断履歴に基づき、経路が切断されたことがない場合は、拡張映像信号のビット深度を増やすことで、より多ビットの映像信号の伝送を可能とする。
【００９２】
一方、過去の切断履歴から経路が頻繁に切断されていると判別される場合は、拡張映像信号のビット深度を減らすことで、伝送可能な映像信号のビット数は低減されるが、経路切断の影響を低減することが可能となる。
【００９３】
「第３の実施形態の効果」
以上のように、本実施例で説明した映像表示システムは、経路の切断状況に応じて拡張映像信号のビット深度を決定することで、システムの環境により適した多ビットの映像伝送が可能となる。
【符号の説明】
【００９４】
１０１‥‥撮像装置
１０２‥‥表示装置
１０３、１０４‥‥ＬＡＮケーブル
２０１‥‥撮像部
２０２‥‥映像信号ＩＰパケット化部
２０３‥‥映像信号パッキング方法決定部
２０４‥‥ビット配置情報生成部
２０５、２０６‥‥通信制御部
２０７‥‥拡張ビット伝送経路切換要求受付部
３０１‥‥ＩＰヘッダ
３０２‥‥ＵＤＰヘッダ
３０３‥‥ＲＴＰヘッダ
３０４‥‥ＲＴＰペイロード
４０１、４０２‥‥通信制御部
４０３‥‥拡張ビット伝送経路切換要求部
４０４‥‥通信経路切断検知部
４０５、４０６‥‥映像信号ＩＰパケット解除部
４０７‥‥表示映像生成部
４０８‥‥表示部
５０１、６０１‥‥ビット配置情報
５０２、６０２‥‥全ビット深度
５０３、６０３‥‥基本映像信号ビット深度
５０４、６０４‥‥拡張映像信号ビット深度
５０５、６０５‥‥伝送拡張映像信号ビット
７０１、７０２、７０６、７０８‥‥ビット配置
７０３‥‥基本映像信号
７０４‥‥拡張映像信号
７０５、７０７‥‥伝送拡張映像信号
９０１、９０２、９０５、９０６‥‥ビット配置
９０３‥‥基本映像信号
９０４‥‥伝送拡張映像信号
１００１、１００２、１００３、１００６‥‥ビット配置
１００４‥‥基本映像信号
１００５‥‥伝送拡張映像信号
１１０１、１１０２、１１０３、１１０６‥‥ビット配置
１１０４‥‥基本映像信号
１１０５‥‥伝送拡張映像信号
１２０１‥‥撮像装置
１２０２、１２０４、１２０６、１２０８、１２１０、１２１１‥‥ＬＡＮケーブル
１２０３、１２０５‥‥ハブ
１２０７、１２０９‥‥表示装置
１３０１‥‥切換可能機器記憶部
１３０２‥‥切換可能機器登録受付部
１３０３‥‥切換要求通知部
１３０４‥‥拡張ビット伝送経路切換要求受付部
１４０１‥‥切換要求通知受信部
１４０２‥‥切換要求タイミング判断部
１４０３‥‥拡張ビット伝送経路切換要求部
１６０１、１６０２、１６０６、１６０８、１６０９‥‥ビット配置
１６０３‥‥基本映像信号
１６０４‥‥拡張映像信号
１６０５、１６０７‥‥伝送拡張映像信号
１７０１、１７０２、１７０３、１７０６‥‥ビット配置
１７０４‥‥基本映像信号
１７０５‥‥伝送拡張映像信号
１８０１、１８０２、１８０３、１８０６‥‥ビット配置
１８０４‥‥基本映像信号
１８０５‥‥伝送拡張映像信号
１９０１‥‥撮像装置
１９０２‥‥通信経路切断履歴記憶部
１９０３‥‥拡張ビット深度決定部
【図１】
2018201098.tif 000003
【図２】
2018201098.tif 000004
【図３】
2018201098.tif 000005
【図４】
2018201098.tif 000006
【図５】
2018201098.tif 000007
【図６】
2018201098.tif 000008
【図７】
2018201098.tif 000009
【図８】
2018201098.tif 000010
【図９】
2018201098.tif 000011
【図１０】
2018201098.tif 000012
【図１１】
2018201098.tif 000013
【図１２】
2018201098.tif 000014
【図１３】
2018201098.tif 000015
【図１４】
2018201098.tif 000016
【図１５】
2018201098.tif 000017
【図１６】
2018201098.tif 000018
【図１７】
2018201098.tif 000019
【図１８】
2018201098.tif 000020
【図１９】
2018201098.tif 000021